(57)【特許請求の範囲】
【請求項１】
外部から供給される電源により、容器内の水を加熱し、湯を沸かした後に所定の保温温度で保温する機能を有するジャーポットにおいて、本体（１）の外側に外部の可視光線の光量を検知する光センサー（２６）を設け、前記光量を検知するのに一定の時間をもたせ、さらに一定光量以下を検知する時間と、一定光量以上を検知する時間とを変えるとともに、前記光センサー（２６）が一定光量以下を検知した時には、前記所定の保温温度より低い第２の保温温度を保持し、かつ一定光量以上を検知した時には、通常の湯沸かし及び所定の保温温度を保持する機能を備えたことを特徴とするジャーポット。
【請求項２】
光量の検知時間において、一定光量以下を検知する時間より一定光量以上を検知する時間を長くしたことを特徴とする請求項１記載のジャーポット。
【発明の詳細な説明】
【０００１】
【発明の属する技術分野】
外部より供給される電源により、容器内の水を加熱し、湯を沸かした後に所定の温度で保温する機能をもつジャーポットに関するものである。
【０００２】
【従来の技術】
従来のジャーポットは湯を使用しない就寝中でも保温ヒーターで高温状態の湯を保温し続けるため、無駄な電力を消費していた。この無駄を避けるためタイマー機能を有し、必要時間のみ保温ヒーターに通電させるようにしたものがある。
【０００３】
【発明が解決しようとする課題】
前記従来例のジャーポットにおいては、タイマー機能で必要時間のみ保温ヒーターに通電させるために、セット時間に気を配るのみならず、セットを忘れてしまう等の使い勝手が良くないという問題があった。
【０００４】
【課題を解決するための手段】
上記の問題点を解決するために、本発明は、外部の可視光線の光量を検知する光センサーを設け、前記光量を検知するのに一定の時間をもたせ、さらに一定光量以下を検知する時間と、一定光量以上を検知する時間とを変えるとともに、前記光センサーが検知した外部の光量が一定光量以下の時は、第２の保温温度を保持し、かつ一定光量以上の時には、通常の湯沸かし及び所定の温度を保持するように制御するものである。
【０００５】
【発明の実施の形態】
本発明のジャーポットは、光センサーを設け、この光センサーが保温中に一定光量以下を検知した時には通常の保温温度より低い第２の保温温度で保温し、また一定光量以上を検知した時には通常の湯沸かし及び保温を行うように制御するものである。
【０００６】
また、光量を検知するのに一定の時間をもたせるとともに、一定光量以下を検知する時間と、一定光量以上を検知する時間を変えるようにしたものである。
【０００７】
すなわち、一定光量以下を検知する時間より、一定光量以上を検知する時間を長く設定したものである。
【０００８】
上記のような構成にしたことにより、明るい所での使用においては通常の湯沸かし及び所定の温度（約９６℃）で保温し、夜間あるいは人のいない暗い所では第２の保温温度（約６０℃）を保持するので、日常人が使用するには、使い勝手が良い。
【０００９】
また、外部の光量の検知時間に一定の時間をもたせることにより、誤動作や必要時以外に湯沸かしを行わず無駄な電力を消費しなくてよい。
【００１０】
【実施例】
以下本発明の一実施例を図１により説明する。
【００１１】
図において、１は本体、２は内部に水などの液体３を収容する容器で本体１内に収納されている。４は容器２底面に装着された発熱体で容器２内の液体３を加熱、保温する。５は容器２底面の中央部に装着した温度センサーである。６は容器２の底面前部に穿設した穴で、この穴６に容器パイプ７を貫設し、この容器パイプ７の先には、容器２内の液体３を送水する電動ポンプ８が取り付けられている。その電動ポンプ８の先には順次パッキン９、ゲージパイプ１０、転倒流水防止弁１１、湯口パイプ１２、湯口カバー１３が接続され、出湯経路１４を形成する。
【００１２】
１５は本体１の上部開口部にヒンジ１６を中心に回転自在に搭載した蓋体であり、１７は蓋体１５の前方に設けた開閉レバーである。蓋体１５の下側開口部には裏蓋１８が装着され、更に下面を覆うように内蓋１９が装着固定されている。
【００１３】
２０は蓋体１５後部上面に設けた蒸気孔でありこの蒸気孔２０に裏蓋１８及び中栓２１を接続し、蒸気通路を形成している。２２は中栓２１に設けた鋼球製の蒸気側転倒流水防止弁である。２３は開閉レバーと係止するよう蓋体１５の前方に設けたフックであり、２４は本体１上部に覆設された本体リングである。その本体リング２４の先端部上面には、制御操作部２５があり、その制御操作部２５には可視光線の光量を検知する光センサー２６と光節電選択キー２７がある。
【００１４】
２８はジャーポット全体を制御する制御装置であり、発熱体４、温度センサー５、光センサー２６等と接続している。２９は制御装置２８に覆設した防水ケース、３０は本体１の底枠、３１は底枠３０に併設した回転台である。３２は本体１に設けた持運び用のハンドルである。
【００１５】
次に、上記構成からなる本実施例の作用について図２を参照して説明する。図２は保温時の状態を示す図である。
【００１６】
蓋体１５の前方に設けた開閉レバー１７を引き上げると本体リング２４と嵌合しているフック２３が後方に押され、嵌合部が外れると蓋体１５は開けられる。
【００１７】
容器２内に液体である水３を入れ蓋体１５を閉じ通電すると、温度センサー５の情報により制御装置２８で制御し発熱体４により加熱し湯沸かしを始める。
【００１８】
その後、次第に容器２内の水温が上昇し、それとともに容器２底部に取り付けられた温度センサー５の温度が上昇して所定の温度に達すると、制御装置２８内に装着されたマイコンが沸騰検知を始める。
【００１９】
制御装置２８内に装着されたマイコンが、沸とうと判定すると主発熱体を停止させ補助発熱体にて保温し保温状態になる。
【００２０】
ここで、光節電選択キー２７を押しておく（オンとする）と光センサー２６が動作するものであり、この光センサー２６が外部の光量を検知し、外部の可視光線の光量が設定された光量以上に明るいかどうかを判断するものである。
【００２１】
外部の可視光線の光量が一定光量以下を検知した時、制御装置２８により湯温を通常時の所定の保温温度より低い第２の保温温度例えば６０℃を保持する。また、光量が一定光量以上を検知しかつ、湯温が例えば９０℃以下の時、発熱体４に通電され湯沸かしを行い、その後所定の温度例えば９６℃を保持するものである。従って図２における光センサー動作中の未使用の電力が省エネルギー効果となるものである。
【００２２】
さらに、外部の可視光線の光量を検知する時間に一定時間設けることにより、昼間活動している人や一瞬の物の陰により光センサーが検知をしたり、夜間一瞬明かりをつけたり屋外を通行する車の光などを検知することがなくなり、無駄な動作や、湯沸かしを行うことはない。
【００２３】
また、一定光量以下を検知する時間と一定光量以上を検知する時間を変えることにより、例えば一定光量以下を検知する時間を数秒間にすることにより人や物の陰により光センサーが検知することなく、また、夜就寝するために明かりを消した時、光センサーが検知したことを数秒間で確認することができる。
【００２４】
また、一方一定光量以上を検知する時間を例えば数分間にすることにより、夜間トイレに行ったり喉が乾いて水を飲むためなど、わずかの間明かりを付けても光センサーは検知せず、必要以外の時に湯沸かしをすることがなく無駄な電気を消費しなくてよい。
【００２５】
【発明の効果】
以上の説明から明らかなように、本発明のジャーポットは、外部の光量が一定光量以下の時、第２の保温温度（６０℃）を保持するようにしたため、夜間就寝中や部屋が暗い時など人のあまり活動しないときには電力が節約できるものである。
【００２６】
また、６０℃で保温しているため朝明るくなった時や夜お湯が必要になったときなど短時間で湯沸かしが可能となる。また、長時間６０℃保温を継続しても、６０℃ならお湯に雑菌等が繁殖しにくい温度である。
【００２７】
また、外部の光量を検知する時間に一定の時間をもたせることにより、誤動作を防ぎ、必要時以外に無駄な湯沸かしを行わず使い勝手が向上するものである。
【図面の簡単な説明】
【図１】本発明の一実施例を示す縦断面図である。
【図２】保温時の状態を示す図である。
【符号の説明】
１：本体、２６：光センサー、２８：制御装置。
【図１】
0003574574.tif 000002
【図２】
0003574574.tif 000003